(57)【特許請求の範囲】
【請求項１】
略直方体状の自動組立家屋であって、
屋根部と、一対の側面部と、一対の妻面部と、床部と、４本の柱と、を構成要素とし、
組立前においては、前記一対の側面部および前記一対の妻面部が前記屋根部と前記床部の間に折り込まれた折り畳み構造体であり、
前記床部の四隅に前記４本の柱を取り付けるための取付孔が形成されており、
前記屋根部の四隅に前記４本の柱が貫通する貫通孔が形成されており、
前記４本の柱は前記屋根部の前記貫通孔を貫通して、前記床部の前記取付孔に取り付け可能となっており、
前記屋根部は前記貫通孔に前記4本の柱が貫通された状態のまま、前記4本の柱をガイドとして昇降させることが可能な構造となっており、
前記柱を経由して前記屋根部にモータの駆動力を伝達し、前記駆動力により前記屋根部を所定の高さまで上昇させることが可能な自動組立家屋。
【請求項２】
前記４本の柱は円柱状で、その周面にネジ溝が形成されたネジ柱であり、
前記屋根部の四隅に形成された貫通孔が前記ネジ柱のネジ溝と螺合するネジ孔であり、
前記ネジ柱のネジ溝と前記屋根部のネジ孔とを螺合させた状態で前記ネジ柱にモータの駆動力を伝達し、前記駆動力により前記ネジ柱を回転させ、前記屋根部を所定の高さまで上昇させる請求項１に記載の自動組立家屋。
【請求項３】
前記４本のネジ柱の下端部に前記ネジ柱と回転軸を同じくする４個の歯車が取り付けられ、
前記４個の歯車は環状のチェーンで連結されており、
前記チェーンに前記モータの駆動力を伝達し、前記４本のネジ柱を同時に回転させる請求項２に記載の自動組立家屋。
【請求項４】
前記４本の柱の頂部にワイヤを係止し得る滑車が取り付けられ、
前記屋根部の四隅には前記ワイヤを固定するフックが取り付けられており、
前記屋根部のフックに前記ワイヤを固定し、前記ワイヤを前記滑車に係止させた状態で前記ワイヤに前記モータの駆動力を伝達し、前記駆動力により前記ワイヤを巻き取り、前記屋根部を所定の高さまで上昇させる請求項１に記載の自動組立家屋。
【請求項５】
前記４本の柱に取り付けられた４本の前記ワイヤが全て連結されており、
前記ワイヤに前記モータの駆動力を伝達し、前記４本のワイヤを同時に巻き取る請求項４に記載の自動組立家屋。
【請求項６】
前記折り畳み構造体は、前記一対の側面部が高さ方向中央で内折りされ、前記一対の妻面部が前記屋根部と重なる方向に傾倒され、前記一対の側面部および前記一対の妻面部が前記床部と前記屋根部の間に折り込まれた構造のものである請求項１から５までのいずれか一項に記載の自動組立家屋。
【発明の詳細な説明】
【技術分野】
【０００１】
本発明は、自動組立家屋の技術分野に属する。具体的には、屋根部と、一対の側面部と、一対の妻面部と、床部と、４本の柱と、を構成要素とする自動組立家屋において、モータの駆動力を柱経由で屋根部に伝達することにより、人手を要することなく屋根部を所定の高さまで上昇させることが可能な自動組立家屋に関する。
【背景技術】
【０００２】
近年、地震や台風等の災害時等に、一時的に組み立てて設置することが可能な組立家屋の需要が高まっている。特に、運搬時にはコンパクトに折り畳むことができ、簡便に組み立てることが可能な組立家屋が求められている。
【０００３】
例えば、組立前においては、家屋の側面部や妻面部を屋根板と床板の間に折り込まれた折り畳み構造をなし、組み立て時にはその折り畳み構造を展開して組み立てるタイプの組立家屋が提案されている（特許文献１乃至３を参照）。       
【先行技術文献】
【特許文献】
【０００４】
【特許文献１】特開昭６３−１４７０３５
【特許文献２】特開平１１−１９３５７５
【特許文献３】特許６３６７６２９
【発明の概要】
【発明が解決しようとする課題】
【０００５】
しかし、特許文献１乃至３に記載の組立家屋は、クレーンを使って屋根を所定の高さまで吊り上げて家屋を組み立てる必要があり、簡便に組み立てることが困難であるという課題があった。
【０００６】
本発明は、前記のような従来技術が有する課題を解決するものである。すなわち、本発明は、屋根をクレーンで吊り上げる必要がなく、簡便に組み立てることが可能な自動組立家屋を提供するものである。
【課題を解決するための手段】
【０００７】
本発明者らは、前記従来技術の課題を解決すべく鋭意検討を重ねた。そして、本発明者は、略直方体状の自動組立家屋において、
（１）屋根部と、一対の側面部と、一対の妻面部と、床部と、４本の柱と、を構成要素とすること；
（２）組立前においては、前記一対の側面部および前記一対の妻面部が前記屋根部と前記床部の間に折り込まれた折り畳み構造体であること；
（３）前記柱を経由して前記屋根部にモータの駆動力を伝達すること；
によって、前記課題を解決し得ることを見出し、本発明を完成するに至った。即ち、前記課題は以下に示す本発明によって解決される。
【０００８】
［１］自動組立家屋：
本発明は、略直方体状の自動組立家屋であって、屋根部と、一対の側面部と、一対の妻面部と、床部と、４本の柱と、を構成要素とし、組立前においては、前記一対の側面部および前記一対の妻面部が前記屋根部と前記床部の間に折り込まれた折り畳み構造体であり、前記床部の四隅に前記４本の柱を取り付けるための取付孔が形成されており、前記屋根部の四隅に前記４本の柱が貫通する貫通孔が形成されており、前記４本の柱は前記屋根部の前記貫通孔を貫通して、前記床部の前記取付孔に取り付け可能となっており、前記屋根部は前記貫通孔に前記4本の柱が貫通された状態のまま、前記4本の柱をガイドとして昇降させることが可能な構造となっており、前記柱を経由して前記屋根部にモータの駆動力を伝達し、前記駆動力により前記屋根部を所定の高さまで上昇させることが可能な自動組立家屋；である。
【発明の効果】
【０００９】
本発明の自動組立家屋は、屋根をクレーンで吊り上げる必要がなく、簡便に組み立てることが可能である。
【図面の簡単な説明】
【００１０】
【図１】本発明の自動組立家屋の一の実施形態を模式的に示す斜視図である。
【図２】図１に示す自動組立家屋の組み立て工程を模式的に示す斜視図であり、組立前の折り畳み構造体を示す。
【図３】図１に示す自動組立家屋について床部の内部構造を模式的に示す斜視図である。
【図４】図１に示す自動組立家屋の組み立て工程を模式的に示す斜視図であり、折り畳み構造体に柱を取り付けた状態を示す。
【図５】図１に示す自動組立家屋の組み立て工程を模式的に示す斜視図であり、屋根部を上昇させている状態を示す。
【図６】図１に示す自動組立家屋の組み立て工程を模式的に示す斜視図であり、屋根部を完全に上昇させた状態を示す。
【図７】図１に示す自動組立家屋の組み立て工程を模式的に示す斜視図であり、妻面部を展開している状態を示す。
【図８】図１に示す自動組立家屋の組み立て工程を模式的に示す斜視図であり、妻面部を完全に展開した状態を示す。
【図９】本発明の自動組立家屋の別の実施形態を模式的に示す斜視図である。
【図１０】図９に示す自動組立家屋の組み立て工程を模式的に示す斜視図であり、組立前の折り畳み構造体を示す。
【図１１】図９に示す自動組立家屋の組み立て工程を模式的に示す斜視図であり、折り畳み構造体に柱を取り付けた状態を示す。
【図１２】図１１に示す自動組立家屋の屋根部とワイヤの固定部分を拡大して模式的に示す概念図である。
【図１３】図１１に示す自動組立家屋の柱の内部構造を拡大して模式的に示す側面図である。
【図１４】図１１に示す自動組立家屋の屋根部を引き上げる仕組みを模式的に示す斜視図である。
【図１５】図９に示す自動組立家屋の組み立て工程を模式的に示す斜視図であり、屋根部を上昇させている状態を示す。
【図１６】図９に示す自動組立家屋の組み立て工程を模式的に示す斜視図であり、屋根部を完全に上昇させた状態を示す。
【図１７】図９に示す自動組立家屋の組み立て工程を模式的に示す斜視図であり、妻面部を展開している状態を示す。
【図１８】図９に示す自動組立家屋の組み立て工程を模式的に示す斜視図であり、妻面部を完全に展開した状態を示す。
【発明を実施するための形態】
【００１１】
以下、発明を実施するための形態について、図面を参照しながらさらに具体的に説明する。但し、本発明は特許請求の範囲に記載された要件を満たす全ての形態を包含し、図面に示された形態のみに限定されるものではない。
【００１２】
［１］本発明の特徴：
図１に示す自動組立家屋１は本発明の一の実施形態である。自動組立家屋１は、略直方体状の自動組立家屋であり、屋根部２と、一対の側面部４と、一対の妻面部６と、床部８と、４本の柱１０と、を構成要素とする。そして、屋根部２、一対の側面部４、一対の妻面部６および床部８が直方体の6面に対応している。
【００１３】
図２に示すように、自動組立家屋１は組立前においては一対の側面部４および一対の妻面部６が屋根部２と床部８の間に折り込まれた折り畳み構造体１２となっている。折り畳み構造体１２は屋根部２および床部８を平面視した際の面積内に側面部４および妻面部６が収納されたコンパクトな構造である。また、折り畳み構造体１２は平板状であるために複数の折り畳み構造体１２を積層することも可能である。従って、自動組立家屋１はトラック等に積載して容易に運搬することができるという特徴がある。
【００１４】
更に、図３に示すように、自動組立家屋にモータ１８を接続すれば、自動で屋根部を所定の高さまで上昇させることもできる。具体的には、前記柱を経由して前記屋根部にモータ１８の駆動力を伝達し、前記駆動力により前記屋根部を所定の高さまで上昇させることが可能となるという特徴がある。このような形態は、屋根部をクレーンで吊り上げることなく、自動組立家屋を簡便に組み立てることが可能である。
【００１５】
［２］第１の実施形態：
図１乃至図８は本発明の第１の実施形態を示す図である。以下、図１乃至図８に示す自動組立家屋１の例により、本発明の第１の実施形態について説明する。本発明の第１の実施形態においては、図４に示すように、４本の柱１０として、円柱状で、その周面にネジ溝が形成されたネジ柱２０を用いている。そして、図２に示すように、屋根部２の四隅に形成された貫通孔１６がネジ柱のネジ溝と螺合するネジ孔２２となっている。
【００１６】
図３に示すように、自動組立家屋１は床部８の四隅に４本の柱を取り付けるための取付孔１４が形成されており、図２に示すように、屋根部２の四隅に４本の柱が貫通する貫通孔１６が形成されている。更に、図４に示すように、４本の柱１０は屋根部２の貫通孔１６を貫通して、床部８の図示されない取付孔に取り付け可能となっている。従って、自動組立家屋１は屋根部２を４本の柱１０に係合させた状態で昇降させることが可能である。
【００１７】
図４に示すように、自動組立家屋１は、ネジ柱２０のネジ溝と屋根部２のネジ孔とを螺合させた状態で用いる。この状態において、ネジ柱２０にモータの駆動力を伝達し、前記駆動力によりネジ柱２０を回転させる。そうすると、図５に示すように、ネジ柱２０の回転に伴って屋根部２は徐々にせり上がる。このため、図６に示すように、屋根部２を所定の高さまで上昇させることができる。
【００１８】
また、図３に示すように、自動組立家屋１においては、４本のネジ柱２０の下端部にネジ柱と回転軸を同じくする４個の歯車が取り付けられ、４個の歯車は環状のチェーン２４で連結されている。即ち、チェーン２４にモータ１８の駆動力を伝達し、４本のネジ柱を同時に回転させる構造としている。このような構造によれば、１基のモータ１８で４本のネジ柱を回転させることができるため、駆動機構を簡素化することができるという利点がある。
【００１９】
但し、ネジ柱とモータを連結する方法はこの方法に限定されるものではない。例えば、各々のネジ柱に各１基のモータを直結する方法でネジ柱とモータを連結させてもよい。
【００２０】
［３］第２の実施形態：
図９乃至図１８は本発明の第２の実施形態を示す図である。以下、図９乃至図１８に示す自動組立家屋１００の例により、本発明の第２の実施形態について説明する。
【００２１】
本発明の第２の実施形態は、自動組立家屋の床部の四隅に４本の柱を取り付けるための取付孔が形成されており、図１０に示すように、屋根部１０２の四隅に４本の柱が貫通する貫通孔１１６が形成されている。更に、図１１に示すように、４本の柱１１０は屋根部１０２の貫通孔を貫通して、床部１０８の取付孔に取り付け可能となっている。従って、自動組立家屋１００は屋根部１０２を４本の柱１１０に係合させた状態で昇降させることが可能である。
【００２２】
また、本発明の第２の実施形態は、図１４に示すように、４本の柱の頂部にワイヤ１２４を係止し得る滑車１２６が取り付けられ、図１２に示すように屋根部１０２の四隅にはワイヤを固定するフック１２８が取り付けられているものである。
【００２３】
図１２乃至図１４に示すように、自動組立家屋１００においては、屋根部１０２のフック１２８にワイヤ１２４を固定している。具体的には、結合リング１３２およびワイヤ１２４の先端に取り付けられた移動フック１３０を介して、屋根部１０２のフック１２８にワイヤ１２４を固定している。そして、ワイヤ１２４を柱の頂部に取り付けられた滑車１２６に係止させた状態で用いる。
【００２４】
この状態において、ワイヤ１２４にモータ１１８の駆動力を伝達すると、前記駆動力によりワイヤ１２４が巻き取られる。そうすると、図１５に示すように、ワイヤ１２４の巻取りに伴って屋根部１０２は徐々に引き上げられる。このため、図１６に示すように、屋根部１０２を所定の高さまで上昇させることができる。
【００２５】
また、図１４に示すように、自動組立家屋１００においては、４本の柱１１０に取り付けられた４本のワイヤ１２４が全て連結されている。ワイヤ１２４にモータ１１８の駆動力を伝達し、４本のワイヤ１２４を同時に巻き取る構造としている。
【００２６】
具体的には、巻取りリール１３４、巻取りシャフト１３６を介して４本のワイヤ１２４が全てモータ１１８に連結されている。このような構造によれば、１基のモータ１１８で４本のワイヤ１２４を巻き取ることができるため、駆動機構を簡素化することができるという利点がある。
【００２７】
但し、ワイヤとモータを連結する方法はこの方法に限定されるものではない。例えば、各々のワイヤに各１基のモータを連結する方法でワイヤとモータを連結させてもよい。
【００２８】
［４］折り畳み構造体：
図２に示す折り畳み構造体１２は、図５に示すように、一対の側面部４が高さ方向中央で内折りされ、図７に示すように、一対の妻面部６が屋根部２と重なる方向に傾倒されることによって、図２に示すような一対の側面部４および一対の妻面部６が床部８と屋根部２の間に折り込まれた構造となっているものである。
【００２９】
具体的には、図５に示すように、一対の側面部４の上端は屋根部２に係合され、一対の側面部４の下端は床部８に係合されていて、屋根部２がせり上がると、内折りされた状態の一対の側面部４が自動的に展開するように構成されている。
【００３０】
一方、図７に示すように、一対の妻面部６の上端は屋根部２に係合されているが、一対の妻面部６の下端は床部８と係合されておらず、自由端となっている。
【００３１】
更に、図４に示すように、一対の側面部４が展開された状態において、一対の妻面部６は未だ屋根部２と重なる方向に傾倒されていて、屋根部２に格納されている。即ち、一対の妻面部６は内折りされた一対の側面部４よりも上部（屋根部２に近い側）に折り込まれている。このため、一対の側面部４とは異なり、屋根部２がせり上がっても、一対の妻面部６は自動的に展開されず、作業者が自ら引き出して展開する構造となっている。
【００３２】
但し、折り畳み構造体の構造はこの構造に限定されるものではない。例えば、一対の側面部が屋根部と重なる方向に傾倒されているものであってもよいし、一対の妻面部が高さ方向中央で内折りされているものであってもよい。
【００３３】
この項では、図２に示す折り畳み構造体１２（第１の実施形態の折り畳み構造体）の例で折り畳み構造の説明をした。但し、図１０に示す折り畳み構造体１１２（第２の実施形態の折り畳み構造体）の折り畳み構造も同じ折り畳み構造を採用している。
【００３４】
［５］使用方法：
本発明の自動組立家屋は以下のようにして使用する。
【００３５】
［５−１］第１の実施形態の場合：
図１乃至図８に示す自動組立家屋１の場合、以下のようにして使用する。
【００３６】
（１）図２に示すように、折り畳み構造体１２を用意する。この状態においては、一対の側面部４および一対の妻面部６が屋根部２と床部８の間に折り込まれている。
【００３７】
（２）次に、図４に示すように、屋根部２の四隅に形成された貫通孔（ネジ孔）に、４本の柱１０（ネジ柱２０）を貫通させ、４本の柱１０（ネジ柱２０）を床部８の取付孔に取り付ける。この際、ネジ柱２０のネジ溝と屋根部２のネジ孔とを螺合させた状態としておく。
【００３８】
（３）ネジ柱にモータの駆動力を伝達し、前記駆動力によりネジ柱を回転させる。そうすると、図５に示すように、屋根部２が徐々にせり上がり、一対の側面部４が展開されていく。最終的には、図６に示すように、屋根部２が所定の高さまで上昇し、一対の側面部４が完全に展開される。
【００３９】
（４）図７に示すように、屋根部２に格納されていた一対の妻面部６を引き出し、図８に示すように、一対の妻面部６を完全に展開する。
【００４０】
（５）最後に、図１に示すように、４本の柱１０を覆うようにカバー５０を取り付けることで、自動組立家屋１が完成する。
【００４１】
［５−２］第２の実施形態の場合：
図９乃至図１８に示す自動組立家屋１００の場合、以下のようにして使用する。
【００４２】
（１）図１０に示すように、折り畳み構造体１１２を用意する。この状態においては、一対の側面部１０４および一対の妻面部１０６が屋根部１０２と床部１０８の間に折り込まれている。
【００４３】
（２）次に、図１１に示すように、屋根部１０２の四隅に形成された貫通孔１１６に４本の柱１１０を貫通させ、４本の柱１１０を床部１０８の取付孔に取り付ける。この際、図１２乃至図１４に示すように、４本の柱１１０の頂部に取り付けられた滑車１２６にワイヤ１２４を係止し、屋根部１０２の四隅に取り付けられたフック１２８にワイヤ１２４を固定し、ワイヤ１２４を滑車１２６に係止させた状態としておく。
【００４４】
（３）ワイヤにモータの駆動力を伝達し、前記駆動力により前記ワイヤを巻き取る。そうすると、図１５に示すように、屋根部１０２が徐々に引き上げられ、一対の側面部１０４が展開されていく。最終的には、図１６に示すように、屋根部１０２が所定の高さまで上昇し、一対の側面部１０４が完全に展開される。
【００４５】
（４）図１７に示すように、屋根部１０２に格納されていた一対の妻面部１０６を引き出し、図１８に示すように、一対の妻面部１０６を完全に展開する。
【００４６】
（５）最後に、図９に示すように、４本の柱１１０を覆うようにカバー１５０を取り付けることで、自動組立家屋１００が完成する。
【産業上の利用可能性】
【００４７】
本発明の自動組立家屋は、例えば、地震や台風等の災害時等に、一時的に組み立てて設置することが可能な組立家屋として利用することができる。
【符号の説明】
【００４８】
１：自動組立家屋，２：屋根部，４：側面部，６：妻面部，８：床部，１０：柱，１２：構造体，１４：取付孔，１６：貫通孔，１８：モータ，２０：ネジ柱，２２：ネジ孔，２４：チェーン，５０：カバー，１００：自動組立家屋，１０２：屋根部，１０４：側面部，１０６：妻面部，１０８：床部，１１０：柱，１１２：折り畳み構造体，１１６：貫通孔，１１８：モータ，１２４：ワイヤ，１２６：滑車，１２８：フック，１３０：移動フック，１３２：結合リング，１３４：リール，１３６：シャフト，１５０：カバー
【要約】
【課題】屋根をクレーンで吊り上げる必要がなく、簡便に組み立てることが可能な自動組立家屋を提供する。
【解決手段】略直方体状の自動組立家屋１である。屋根部２と、一対の側面部４と、一対の妻面部６と、床部８と、４本の柱１０と、を構成要素とし、組立前においては、一対の側面部４および一対の妻面部６が屋根部２と床部８の間に折り込まれた折り畳み構造体であり、柱１０を経由して屋根部２にモータの駆動力を伝達し、駆動力により屋根部２を所定の高さまで上昇させることが可能な自動組立家屋１。
【選択図】図１【図１】
0006986174.tif 000002
【図２】
0006986174.tif 000003
【図３】
0006986174.tif 000004
【図４】
0006986174.tif 000005
【図５】
0006986174.tif 000006
【図６】
0006986174.tif 000007
【図７】
0006986174.tif 000008
【図８】
0006986174.tif 000009
【図９】
0006986174.tif 000010
【図１０】
0006986174.tif 000011
【図１１】
0006986174.tif 000012
【図１２】
0006986174.tif 000013
【図１３】
0006986174.tif 000014
【図１４】
0006986174.tif 000015
【図１５】
0006986174.tif 000016
【図１６】
0006986174.tif 000017
【図１７】
0006986174.tif 000018
【図１８】
0006986174.tif 000019